(57)【要約】【課題】統一理論について。素粒子は何により統一できるか。【解決手段】この事を2．電子のラブや陽子のラブはどのようにできたか。3．引力のメカニズムについて。4．万有引力について。5．原子の陽子のラブと電子のラブの離れている軌道の間の結合は、万有引力と反対方向に回転する磁気の光子がつくる。6．原子核の中の陽子と中性子を束ねているのは、反対方向に回転する磁気の光子がつくる。7．中性子の陽子のラブと中性子の電子のラブの結合は、反対方向に回転する磁気の光子がつくる。8．グル―オンについて。9．ウィークボソンについて。10．重力とは何か。引力とは何か。11．ダークマターについて。12．ヒッグス粒子について。それぞれについて考え、結論を出す。【選択図】図１
2020025405.tif 000002
【特許請求の範囲】
【請求項１】
統一理論
全ては電磁気で統一される。  
全ての物は電磁気でできている。
電子のラブや陽子のラブは、電磁気が、ラブ1個の軌道エネルギー÷電磁気1個の軌道エネルギー＝8.665×10−24Jm÷(1.233×10−41Jm)＝7.028×1017個でできている。
【請求項２】
電子のラブや陽子のラブはどのようにできたか。
ビッグバンの以前の場は電磁気の場で、場のエネルギーは地表の3×108倍のエネルギーであった。この時空をマイナスの宇宙と名付けた。マイナスの宇宙は収縮宇宙です。
電子のラブに成る電磁気1個のエネルギーを3.769×10−21J、陽子のラブに成る電磁気1個のエネルギーを3.769×10−21J×1836＝6.920×10−18Jとする。電子のラブに成る電磁気の回転と陽子のラブに成る電磁気の回転は逆方向です。電磁気は集合し、A=4.887×1018の場で電子のラブと陽子のラブはできた。
その経過を表に示す。
2020025405.tif 000006
2020025405.tif 000007
【請求項３】
引力のメカニズムについて。
2006年4月1日に提出した、特願2006−124382．「引力と電磁波」の「請求項１」に次のように記した。
引力のメカニズムについて。
引力は磁気の光子の軌道エネルギーである。
磁気の光子は108個で1つの輪になっている。
磁気の光子の輪はコイル状に回転しながら進む。
磁気の光子の回転方向は同じである。
これらの磁気の光子は反対方向から進んでくるので、衝突すると、軌道が同じで、進む方向が反対なので、かみ合って進む。
磁気の光子はコイル状に進むので、2重コイルのように重なり合って、反対方向に進む。かみ合って進む事により結合力ができる。この結合力が引力です。
更に、磁気の光子の凹凸によって、まるで歯車のようにかみ合うので、結びつきは強くなる。
光速でかみ合うので、引力は大きくなる。
かみ合って結びつくものが多い程、結びつく力は大きくなる。
結びつくものは磁気の光子である。異なる電荷の場合は電気の光子である。
結びつくものは、磁気の光子と磁気の光子、磁気の光子の輪と磁気の光子の輪、磁気の光子の回転コイルと磁気の光子の回転コイルです。
異なる電荷の場合は、結びつくものは、電気の光子と電気の光子、電気の光子の輪と電気の光子の輪、電気の光子の回転コイルと電気の光子の回転コイルです。
【請求項４】
万有引力について。
2015年6月12日に提出した、特願2015−119829の「請求項2」と「請求項3」に記した事で理解できた事は、次の事です。
1．万有引力は、原子の外側の磁気の光子です。
2．万有引力は、電子のラブが1公転で作る磁気の光子のエネルギーで、ボーア磁子÷公転数＝9.274×10−24J÷(7.96×107公転)＝1.165×10−31J、です。
3．磁気の光子1個のエネルギーは、1.165×10−31J÷(7.96×107個)＝1.464×10−39J、です。
4．陽子のラブが作る引力は１公転で作る磁気の光子のエネルギーで、核磁子÷公転数＝5.05×10−27J÷(4.34×104公転)＝1.164×10−31J、です。
5．原子では電子のラブが作る引力と陽子のラブが作る引力は、共に1.165×10−31Jであり、等しい。等しい引力で引き合っている
この事から、陽子を出る電磁気1個のエネルギーは1.164×10−31Jです。
電子を出る電磁気1個のエネルギーは1.165×10−31Jです。
・陽子を出た電磁気はどのように成るか。電子を出た電磁気はどのようになるか。
陽子を出た電磁気は、電子のラブを引く引力に成る。
原子の電子を出た電磁気は万有引力に成る。    
原子の電子を出た1個の電磁気は1.165×10−31Jで、万有引力に成っている。
地表に満ちている1粒子が2個の電磁気は万有引力に成っている。
【請求項５】
原子の陽子のラブと電子のラブの離れている軌道の間の結合は、万有引力と反対方向に回転する磁気の光子がつくる。
2005年6月8日提出した2005−198056において、次のように記しました。(電子のラブが1自転してできる磁気の光子のエネルギーは8×10−38Jで、陽子のラブが1自転してできる磁気の光子のエネルギーは8×10−38Jです。電子のラブが1秒間自転してできる磁気の光子のエネルギーは8×10−14Jで、陽子のラブが1秒間自転してできる磁気の光子のエネルギーは8×10−14Jです。この磁気の光子のエネルギーが原子の中の、電子と陽子の間に働く力です)(このデータ−は従来の古い軌道エネルギーの式で計算しています)
○万有引力は、電子のラブが1公転で作る磁気の光子のエネルギーで、ボーア磁子÷公転数＝9.274×10−24J÷(7.96×107公転)＝1.165×10−31J、です。
陽子のラブが作る万有引力は１公転で作る磁気の光子のエネルギーで、核磁子÷公転数＝5.05×10−27J÷(4.34×104公転)＝1.164×10−31J、です。
それで、万有引力が等しく方向が反対なので、結合力ができる。
【請求項６】
原子核の中の陽子と中性子を束ねているのは、反対方向に回転する磁気の光子がつくる。
陽子の質量エネルギーと中性子の質量エネルギーとは等しいので、作る磁気の光子のエネルギーと磁気の光子の軌道は等しい。しかし、回転方向が逆である。この事により引力ができる。
【請求項７】
中性子の陽子のラブと中性子の電子のラブの結合は、反対方向に回転する磁気の光子がつくる。
中性子の中で、陽子のラブは＋方向に回転し、電子のラブはマイナス方向に回転する。それで、反対方向に回転する磁気の光子ができ、これがかみ合い結合している。
【請求項８】
グル―オンについて。
2018年7月27日に提出した、特願2018−140788．「電気の光子、磁気の光子、引力、陽子の中の電磁気、電子の中の電磁気」の「請求項２」で、陽子の中で、電磁気の軌道は“レコード盤”のように連続して存在している。その“陽子の中の電磁気のレコード盤”を図示した。
高エネルギー加速器で放出したクオークなどの電磁気は、陽子の中で、「レコード盤」のように、軌道は連続して回転している。それで、グル―オンは必要ない。よって、グル―オンは存在しない。
軌道は連続している事を確認するためには、クオークなどの電磁気の放出方向から判断できる。
【請求項９】
ウィークボソンについて。
2018年7月10日に提出した、特願2018−130310．「強い力とグル―オン弱い力とウィークボソン」の「請求項７」で、ウィークボソンはどのようであるか、について記した。「請求項10」で、ウィークボソンとはなにか、について記した。それで、「請求項10」を記す。
ウイークボソンとは何か。
雑誌、ニュートンの、「素粒子のすべてクオーク、反粒子、4つの力、ヒッグス粒子、ダークマターまで」、のP96に次のように記されています。
(炭素14の原子核は不安定なため、時間がたつと中性子の1つが陽子と電子と反電子ニュートリノに壊れて、窒素14の原子核に変わります。この変化を引き起こす物が弱い力なのだそうです。弱い力の素粒子は「ウイークボソン」とよばれ、プラスの電気を帯びたW＋粒子、マイナスの電気を帯びたW-粒子、中性のZ粒子の3種類があるといいます)
中性子ができるとき、陽子の中に電子は入り、電子ニュートリノは放出する。
この現象を課題４に於いて理解した。
課題４．電子ニュートリノは2eV以下です。この事により理解できる事は何か。
表により理解できる事
電子＝電子のラブ＋電子ニュートリノよりエネルギーの大きい電磁気＋電子ニュートリノ
電子＝電子のラブ＋電子ニュートリノより軌道の小さい電磁気＋電子ニュートリノ
電子＝電子のラブ＋3.204×10-19J〜8.155×10-14Jの電磁気＋電子ニュートリノ
電子＝電子のラブ＋3.848×10-23m〜1.512×10-28mの軌道の電磁気＋電子ニュートリノ
中性子ができるとき、
電子のラブ＋電子ニュートリノより軌道の小さい電磁気が陽子の中に入り、電子ニュートリノは放出される。
即ち、陽子の中に入る部分は、
電子のラブ＋電子ニュートリノより軌道の小さい電磁気＝電子のラブ＋3.848×10-23m〜1.512×10-28mの軌道の電磁気＝電子のラブ＋電子ニュートリノよりエネルギーの大きい電磁気＝電子のラブ＋3.204×10-19J〜8.155×10-14Jの電磁気、です。
それで、中性子から陽子に成るとき、この逆の現象がおきる。
中性子から陽子に成るとき、電子のラブ＋電子ニュートリノより軌道の小さい電磁気が放出する。
この放出する物が「ウイークボソン」です。
「ウイークボソン」＝電子のラブ＋電子ニュートリノより軌道の小さい電磁気＝電子のラブ＋3.848×10-23m〜1.512×10-28mの軌道の電磁気
「ウイークボソン」＝電子のラブ＋電子ニュートリノよりエネルギーの大きい電磁気＝電子のラブ＋3.204×10-19J〜8.155×10-14Jの電磁気
【請求項１０】
重力とは何か。引力とは何か。
月と地球。太陽と惑星。ブラックホールと銀河。これらの間に働く重力とは引力であり、軌道エネルギーです。
2008年1月4日に提出した、特願2008−23309．「宇宙7」で軌道エネルギーの式について記した。
2012年9月の日本天文学会で発表した。図により説明した。
軌道エネルギーとは、中心となる物の表面から出発する電磁気(電気の光子と磁気の光子)が作る軌道のエネルギーです。
1．太陽が作る軌道エネルギー＝太陽の表面の原子を出発する電磁気1個のエネルギー×太陽の表面の原子数×見かけ上に換算する定数÷距離＝10−31J×1.325×1037個×105Km÷距離＝1.325×1011Jkm÷距離。
2． 銀河の軌道エネルギー＝ブラックホールから出発する光子1個のエネルギー×ブラックホールの表面の原子数×見かけ上に換算する定数÷距離＝10−25J×5.438×1038×102n/3個×105Km÷距離＝5.438×1018＋2n/3JKm÷距離。(ブラックホールの質量を10n太陽質量とする)
3． 宇宙の軌道エネルギー＝中心のブラックホールから出発する光子1個のエネルギー×ブラックホールの表面の原子数×見かけ上に換算する定数÷軌道半径＝10−25J×4.827×1047個×105Km÷軌道半径＝4.827×1027JKｍ÷軌道半径。
4．地球の軌道エネルギー＝地球の表面から出発する電磁気1個のエネルギー×地球の表面の原子数×見かけ上に換算する定数÷距離＝4.444×10−35J×1.043×1035個×105Km÷距離＝4.635×105JKｍ÷距離。
【請求項１１】
ダークマターについて。
2007年4月18日に提出した、特願2007−133476．「宇宙」の「請求項1」に次のように記した。
ダークマターは何か。
ダークマターは、−273℃の場に存在し、公転できず、自転だけしている電子のラブと陽子のラブです。
−273℃の場で、電子のラブの公転軌道は、
1.058×10−10m×（273）1/2=1.058×10−10m×16.523=1.748×10−9mです。
電子のラブの秒速は、
3.14×公転軌道×1秒間の公転数＝3.14×1.748×10−9m×（7.96×107）2公転＝3.478×107mになり、光速に近くなり、公転できなくなる。
それで、電子のラブは自転だけする。
−273℃の場で、陽子のラブの公転軌道は、
5.764×10−14m×（273）1/2=5.764×10−14m×16.523=9.524×10−13mです。
陽子のラブの秒速は、
3.14×公転軌道×1秒間の公転数＝3.14×9.524×10−13m×7.96×107×4.34×104公転＝1.033×10mになり、公転できなくなる。
それで、陽子のラブは自転だけする。
そして、2018年9月の日本天文学会に於いて、「ダークマターの必要条件について」講演する。
【請求項１２】
ヒッグス粒子について。
2018年7月27日に提出した、特願2018−140788の「請求項５」より。
高エネルギー加速器の中で1.7MeVのuクオークの電磁気1個のエネルギーは4.357×10-22Jです。地表におけるクオークの電磁気1個のエネルギーは1.453×10-30Jです。
それで、地表におけるクオークの電磁気2個のエネルギーは、2×1.453×10-30J＝2.906×10-30J、です。
高エネルギー加速器の中で3.1MeVのuクオークの電磁気1個のエネルギーは7.947×10-22Jです。地表におけるクオークの電磁気1個のエネルギーは2.648×10-30Jです。
それで、地表におけるクオークの電磁気2個のエネルギーは、2×2.648×10-30J＝5.296×10-30J、です。
高エネルギー加速器の中で4.1MeVのdクオークの電磁気1個のエネルギーは1.051×10-21Jです。地表におけるクオークの電磁気1個のエネルギーは3.503×10-30Jです。
それで、地表におけるクオークの電磁気2個のエネルギーは、2×3.503×10-30J＝7.006×10-30J、です。
クオークから算出した、高エネルギー加速器の中の電磁気1個のエネルギーと、地表におけるクオークの電磁気1個のエネルギーと、地表におけるクオークの電磁気2個のエネルギー(ヒッグス粒子のエネルギー)
表９
2020025405.tif 000008
ヒッグス粒子は、高エネルギー加速器の中の電磁気2個のエネルギーです。このエネルギーを地表のエネルギーに換算すると、地上におけるヒッグス粒子の電磁気2個のエネルギーが理解できる。
この事により理解できる事
1．クオークのエネルギーは陽子の中のエネルギーです。クオークの中の電磁気2個のエネルギーはヒッグス粒子のエネルギーであり、陽子の中の電磁気2個のエネルギーです。  
2．ヒッグス粒子のエネルギーはクオークの中の電磁気2個のエネルギーであり、地表の電磁気2個のエネルギーではない。
3．陽子の中の電磁気はγ線であり、地表の電磁気のエネルギーは可視光線である。
4．陽子の中のヒッグス粒子のエネルギーは大きい。地表の電磁気2個のエネルギーは小さい。
5．地表の電磁気1個の粒子は電磁気2個分であるが、これはヒッグス粒子ではない。
よって、光子はヒッグス粒子と衝突しないので、自然界の最高速度(光速)で進むことができる(質量ゼロ)。これはおかしい。
ヒッグス粒子はクオークから分離した電磁気2個のエネルギーです。
地表の電磁気1個の粒子は電磁気2個分であるが、これはヒッグス粒子ではない。
【発明の詳細な説明】
【技術分野】
【０００１】
本発明は、統一理論に関するものである。
【背景技術】
【０００２】
2015年11月20日に提出した、特願2015−227496．「マイナスの宇宙２」に於いて、どのように電子のラブと陽子のラブができたかを考察した。
【先行技術文献】
【特許文献】
【０００３】
【特許文献１】特願2007−133476
【特許文献１】特願2008−23309
【特許文献１】特願2015−119829
【特許文献１】特願2015−227496
【特許文献１】特願2018−096696
【特許文献１】特願2018−130310
【特許文献１】特願2018−140788
【発明の概要】
【発明が解決しようとする課題】
【０００４】
統一理論
全ては電磁気で統一される。  
全ての物は電磁気でできている。
【課題を解決するための手段】
【０００５】
次の事柄を考えて統一論に至る。
2．電子のラブや陽子のラブはどのようにできたか。
3．引力のメカニズムについて。
4．万有引力について。
5．原子の陽子のラブと電子のラブの離れている軌道の間の結合は、万有引力と反対方向に回転する磁気の光子がつくる。
6．原子核の中の陽子と中性子を束ねているのは、反対方向に回転する磁気の光子がつくる。
7．中性子の陽子のラブと中性子の電子のラブの結合は、反対方向に回転する磁気の光子がつくる。
8．グル―オンについて。
9．ウィークボソンについて。
10．重力とは何か。引力とは何か。
11．ダークマターについて。
12．ヒッグス粒子について。
【発明の効果】
【０００６】
全ては電磁気で統一される。  
全ての物は電磁気でできている。
全ての物の働きは電磁気の働きである。
【図面の簡単な説明】
【０００７】
【図１】図1は、原子の陽子のラブと電子のラブの離れている軌道の間の結合は、万有引力と反対方向に回転する磁気の光子がつくる。万有引力は、電子のラブが1公転で作る磁気の光子のエネルギーで、ボーア磁子÷公転数＝9.274×10−24J÷(7.96×107公転)＝1.165×10−31J、です。陽子のラブが作る万有引力は１公転で作る磁気の光子のエネルギーで、核磁子÷公転数＝5.05×10−27J÷(4.34×104公転)＝1.164×10−31J、です。それで、万有引力が等しく方向が反対なので、結合力ができる。原子核の中の陽子と中性子を束ねているのは、反対方向に回転する磁気の光子がつくる。陽子の質量エネルギーと中性子の質量エネルギーとは等しいので、作る磁気の光子のエネルギーと磁気の光子の軌道は等しい。しかし、回転方向が逆である。この事により引力ができる。中性子の陽子のラブと中性子の電子のラブの結合は、反対方向に回転する磁気の光子がつくる。
【図２】図2は、高エネルギー加速器で放出したクオークなどの電磁気は、陽子の中で、「レコード盤」のように、軌道は連続して回転している。それで、グル―オンは必要ない。よって、グル―オンは存在しない。図の中央程拡大して描かれている。
【図３】図3は、中性子から陽子に成るとき、電子のラブ＋電子ニュートリノより軌道の小さい電磁気、が放出する。この放出する物が「ウイークボソン」です。電子ニュートリノは2eV以下です。この事により理解できる事は何か。表により理解できる事電子＝電子のラブ＋電子ニュートリノよりエネルギーの大きい電磁気＋電子ニュートリノ電子＝電子のラブ＋電子ニュートリノより軌道の小さい電磁気＋電子ニュートリノ電子＝電子のラブ＋3.204×10-19J〜8.155×10-14Jの電磁気＋電子ニュートリノ電子＝電子のラブ＋3.848×10-23m〜1.512×10-28mの軌道の電磁気＋電子ニュートリノ中性子ができるとき、電子のラブ＋電子ニュートリノより軌道の小さい電磁気が陽子の中に入り、電子ニュートリノは放出される。即ち、陽子の中に入る部分は、電子のラブ＋電子ニュートリノより軌道の小さい電磁気＝電子のラブ＋3.848×10-23m〜1.512×10-28mの軌道の電磁気＝電子のラブ＋電子ニュートリノよりエネルギーの大きい電磁気＝電子のラブ＋3.204×10-19J〜8.155×10-14Jの電磁気、です。それで、中性子から陽子に成るとき、この逆の現象がおきる。中性子から陽子に成るとき、電子のラブ＋電子ニュートリノより軌道の小さい電磁気が放出する。この放出する物が「ウイークボソン」です。「ウイークボソン」＝電子のラブ＋電子ニュートリノより軌道の小さい電磁気＝電子のラブ＋3.848×10-23m〜1.512×10-28mの軌道の電磁気「ウイークボソン」＝電子のラブ＋電子ニュートリノよりエネルギーの大きい電磁気＝電子のラブ＋3.204×10-19J〜8.155×10-14Jの電磁気
【図４】図４は、軌道エネルギーとは、中心となる物の表面から出発する電磁気(電気の光子と磁気の光子)が作る軌道のエネルギーです。
【発明を実施するための形態】
【０００８】
１．    統一理論
全ては電磁気で統一される。  
全ての物は電磁気でできている。
電子のラブや陽子のラブは、電磁気が、ラブ1個の軌道エネルギー÷電磁気1個の軌道エネルギー＝8.665×10−24Jm÷(1.233×10−41Jm)＝7.028×1017個でできている。
２．    電子のラブや陽子のラブはどのようにできたか。
ビッグバンの以前の場は電磁気の場で、場のエネルギーは地表の3×108倍のエネルギーであった。この時空をマイナスの宇宙と名付けた。マイナスの宇宙は収縮宇宙です。
電子のラブに成る電磁気1個のエネルギーを3.769×10−21J、陽子のラブに成る電磁気1個のエネルギーを3.769×10−21J×1836＝6.920×10−18Jとする。電子のラブに成る電磁気の回転と陽子のラブに成る電磁気の回転は逆方向です。電磁気は集合し、A=4.887×1018の場で電子のラブと陽子のラブはできた。
その経過を表に示す。
2020025405.tif 000003
2020025405.tif 000004
３．    引力のメカニズムについて。
2006年4月1日に提出した、特願2006−124382．「引力と電磁波」の「請求項１」に次のように記した。
引力のメカニズムについて。
引力は磁気の光子の軌道エネルギーである。
磁気の光子は108個で1つの輪になっている。
磁気の光子の輪はコイル状に回転しながら進む。
磁気の光子の回転方向は同じである。
これらの磁気の光子は反対方向から進んでくるので、衝突すると、軌道が同じで、進む方向が反対なので、かみ合って進む。
磁気の光子はコイル状に進むので、2重コイルのように重なり合って、反対方向に進む。かみ合って進む事により結合力ができる。この結合力が引力です。
更に、磁気の光子の凹凸によって、まるで歯車のようにかみ合うので、結びつきは強くなる。
光速でかみ合うので、引力は大きくなる。
かみ合って結びつくものが多い程、結びつく力は大きくなる。
結びつくものは磁気の光子である。異なる電荷の場合は電気の光子である。
結びつくものは、磁気の光子と磁気の光子、磁気の光子の輪と磁気の光子の輪、磁気の光子の回転コイルと磁気の光子の回転コイルです。
異なる電荷の場合は、結びつくものは、電気の光子と電気の光子、電気の光子の輪と電気の光子の輪、電気の光子の回転コイルと電気の光子の回転コイルです。
４．    万有引力について。
2015年6月12日に提出した、特願2015−119829の「請求項2」と「請求項3」に記した事で理解できた事は、次の事です。
1．万有引力は、原子の外側の磁気の光子です。
2．万有引力は、電子のラブが1公転で作る磁気の光子のエネルギーで、ボーア磁子÷公転数＝9.274×10−24J÷(7.96×107公転)＝1.165×10−31J、です。
3．磁気の光子1個のエネルギーは、1.165×10−31J÷(7.96×107個)＝1.464×10−39J、です。
4．陽子のラブが作る引力は１公転で作る磁気の光子のエネルギーで、核磁子÷公転数＝5.05×10−27J÷(4.34×104公転)＝1.164×10−31J、です。
5．原子では電子のラブが作る引力と陽子のラブが作る引力は、共に1.165×10−31Jであり、等しい。等しい引力で引き合っている
この事から、陽子を出る電磁気1個のエネルギーは1.164×10−31Jです。
電子を出る電磁気1個のエネルギーは1.165×10−31Jです。
・陽子を出た電磁気はどのように成るか。電子を出た電磁気はどのようになるか。
陽子を出た電磁気は、電子のラブを引く引力に成る。
原子の電子を出た電磁気は万有引力に成る。    
原子の電子を出た1個の電磁気は1.165×10−31Jで、万有引力に成っている。
地表に満ちている1粒子が2個の電磁気は万有引力に成っている。
５．    原子の陽子のラブと電子のラブの離れている軌道の間の結合は、万有引力と反対方向に回転する磁気の光子がつくる。
2005年6月8日提出した2005−198056において、次のように記しました。(電子のラブが1自転してできる磁気の光子のエネルギーは8×10−38Jで、陽子のラブが1自転してできる磁気の光子のエネルギーは8×10−38Jです。電子のラブが1秒間自転してできる磁気の光子のエネルギーは8×10−14Jで、陽子のラブが1秒間自転してできる磁気の光子のエネルギーは8×10−14Jです。この磁気の光子のエネルギーが原子の中の、電子と陽子の間に働く力です)(このデータ−は従来の古い軌道エネルギーの式で計算しています)
○万有引力は、電子のラブが1公転で作る磁気の光子のエネルギーで、ボーア磁子÷公転数＝9.274×10−24J÷(7.96×107公転)＝1.165×10−31J、です。
陽子のラブが作る万有引力は１公転で作る磁気の光子のエネルギーで、核磁子÷公転数＝5.05×10−27J÷(4.34×104公転)＝1.164×10−31J、です。
それで、万有引力が等しく方向が反対なので、結合力ができる。
６．    原子核の中の陽子と中性子を束ねているのは、反対方向に回転する磁気の光子がつくる。
陽子の質量エネルギーと中性子の質量エネルギーとは等しいので、作る磁気の光子のエネルギーと磁気の光子の軌道は等しい。しかし、回転方向が逆である。この事により引力ができる。
７．    中性子の陽子のラブと中性子の電子のラブの結合は、反対方向に回転する磁気の光子がつくる。
中性子の中で、陽子のラブは＋方向に回転し、電子のラブはマイナス方向に回転する。それで、反対方向に回転する磁気の光子ができ、これがかみ合い結合している。
８．    グル―オンについて。
2018年7月27日に提出した、特願2018−140788．「電気の光子、磁気の光子、引力、陽子の中の電磁気、電子の中の電磁気」の「請求項２」で、陽子の中で、電磁気の軌道は“レコード盤”のように連続して存在している。その“陽子の中の電磁気のレコード盤”を図示した。
高エネルギー加速器で放出したクオークなどの電磁気は、陽子の中で、「レコード盤」のように、軌道は連続して回転している。それで、グル―オンは必要ない。よって、グル―オンは存在しない。
軌道は連続している事を確認するためには、クオークなどの電磁気の放出方向から判断できる。
９．    ウィークボソンについて。
2018年7月10日に提出した、特願2018−130310．「強い力とグル―オン弱い力とウィークボソン」の「請求項７」で、ウィークボソンはどのようであるか、について記した。「請求項10」で、ウィークボソンとはなにか、について記した。それで、「請求項10」を記す。
ウイークボソンとは何か。
雑誌、ニュートンの、「素粒子のすべてクオーク、反粒子、4つの力、ヒッグス粒子、ダークマターまで」、のP96に次のように記されています。
(炭素14の原子核は不安定なため、時間がたつと中性子の1つが陽子と電子と反電子ニュートリノに壊れて、窒素14の原子核に変わります。この変化を引き起こす物が弱い力なのだそうです。弱い力の素粒子は「ウイークボソン」とよばれ、プラスの電気を帯びたW＋粒子、マイナスの電気を帯びたW-粒子、中性のZ粒子の3種類があるといいます)
中性子ができるとき、陽子の中に電子は入り、電子ニュートリノは放出する。
この現象を課題４に於いて理解した。
課題４．電子ニュートリノは2eV以下です。この事により理解できる事は何か。
表により理解できる事
電子＝電子のラブ＋電子ニュートリノよりエネルギーの大きい電磁気＋電子ニュートリノ
電子＝電子のラブ＋電子ニュートリノより軌道の小さい電磁気＋電子ニュートリノ
電子＝電子のラブ＋3.204×10-19J〜8.155×10-14Jの電磁気＋電子ニュートリノ
電子＝電子のラブ＋3.848×10-23m〜1.512×10-28mの軌道の電磁気＋電子ニュートリノ
中性子ができるとき、
電子のラブ＋電子ニュートリノより軌道の小さい電磁気が陽子の中に入り、電子ニュートリノは放出される。
即ち、陽子の中に入る部分は、
電子のラブ＋電子ニュートリノより軌道の小さい電磁気＝電子のラブ＋3.848×10-23m〜1.512×10-28mの軌道の電磁気＝電子のラブ＋電子ニュートリノよりエネルギーの大きい電磁気＝電子のラブ＋3.204×10-19J〜8.155×10-14Jの電磁気、です。
それで、中性子から陽子に成るとき、この逆の現象がおきる。
中性子から陽子に成るとき、電子のラブ＋電子ニュートリノより軌道の小さい電磁気が放出する。
この放出する物が「ウイークボソン」です。
「ウイークボソン」＝電子のラブ＋電子ニュートリノより軌道の小さい電磁気＝電子のラブ＋3.848×10-23m〜1.512×10-28mの軌道の電磁気
「ウイークボソン」＝電子のラブ＋電子ニュートリノよりエネルギーの大きい電磁気＝電子のラブ＋3.204×10-19J〜8.155×10-14Jの電磁気
１０．    重力とは何か。引力とは何か。
月と地球。太陽と惑星。ブラックホールと銀河。これらの間に働く重力とは引力であり、軌道エネルギーです。
2008年1月4日に提出した、特願2008−23309．「宇宙7」で軌道エネルギーの式について記した。
2012年9月の日本天文学会で発表した。図により説明した。
軌道エネルギーとは、中心となる物の表面から出発する電磁気(電気の光子と磁気の光子)が作る軌道のエネルギーです。
1．太陽が作る軌道エネルギー＝太陽の表面の原子を出発する電磁気1個のエネルギー×太陽の表面の原子数×見かけ上に換算する定数÷距離＝10−31J×1.325×1037個×105Km÷距離＝1.325×1011Jkm÷距離。
2． 銀河の軌道エネルギー＝ブラックホールから出発する光子1個のエネルギー×ブラックホールの表面の原子数×見かけ上に換算する定数÷距離＝10−25J×5.438×1038×102n/3個×105Km÷距離＝5.438×1018＋2n/3JKm÷距離。(ブラックホールの質量を10n太陽質量とする)
3． 宇宙の軌道エネルギー＝中心のブラックホールから出発する光子1個のエネルギー×ブラックホールの表面の原子数×見かけ上に換算する定数÷軌道半径＝10−25J×4.827×1047個×105Km÷軌道半径＝4.827×1027JKｍ÷軌道半径。
4．地球の軌道エネルギー＝地球の表面から出発する電磁気1個のエネルギー×地球の表面の原子数×見かけ上に換算する定数÷距離＝4.444×10−35J×1.043×1035個×105Km÷距離＝4.635×105JKｍ÷距離。
１１．    ダークマターについて。
2007年4月18日に提出した、特願2007−133476．「宇宙」の「請求項1」に次のように記した。
ダークマターは何か。
ダークマターは、−273℃の場に存在し、公転できず、自転だけしている電子のラブと陽子のラブです。
−273℃の場で、電子のラブの公転軌道は、
1.058×10−10m×（273）1/2=1.058×10−10m×16.523=1.748×10−9mです。
電子のラブの秒速は、
3.14×公転軌道×1秒間の公転数＝3.14×1.748×10−9m×（7.96×107）2公転＝3.478×107mになり、光速に近くなり、公転できなくなる。
それで、電子のラブは自転だけする。
−273℃の場で、陽子のラブの公転軌道は、
5.764×10−14m×（273）1/2=5.764×10−14m×16.523=9.524×10−13mです。
陽子のラブの秒速は、
3.14×公転軌道×1秒間の公転数＝3.14×9.524×10−13m×7.96×107×4.34×104公転＝1.033×10mになり、公転できなくなる。
それで、陽子のラブは自転だけする。
そして、2018年9月の日本天文学会に於いて、「ダークマターの必要条件について」講演する。
１２．    ヒッグス粒子について。
2018年7月27日に提出した、特願2018−140788の「請求項５」より。
高エネルギー加速器の中で1.7MeVのuクオークの電磁気1個のエネルギーは4.357×10-22Jです。地表におけるクオークの電磁気1個のエネルギーは1.453×10-30Jです。
それで、地表におけるクオークの電磁気2個のエネルギーは、2×1.453×10-30J＝2.906×10-30J、です。
高エネルギー加速器の中で3.1MeVのuクオークの電磁気1個のエネルギーは7.947×10-22Jです。地表におけるクオークの電磁気1個のエネルギーは2.648×10-30Jです。
それで、地表におけるクオークの電磁気2個のエネルギーは、2×2.648×10-30J＝5.296×10-30J、です。
高エネルギー加速器の中で4.1MeVのdクオークの電磁気1個のエネルギーは1.051×10-21Jです。地表におけるクオークの電磁気1個のエネルギーは3.503×10-30Jです。
それで、地表におけるクオークの電磁気2個のエネルギーは、2×3.503×10-30J＝7.006×10-30J、です。
クオークから算出した、高エネルギー加速器の中の電磁気1個のエネルギーと、地表におけるクオークの電磁気1個のエネルギーと、地表におけるクオークの電磁気2個のエネルギー(ヒッグス粒子のエネルギー)
表９
2020025405.tif 000005
ヒッグス粒子は、高エネルギー加速器の中の電磁気2個のエネルギーです。このエネルギーを地表のエネルギーに換算すると、地上におけるヒッグス粒子の電磁気2個のエネルギーが理解できる。
この事により理解できる事
1．クオークのエネルギーは陽子の中のエネルギーです。クオークの中の電磁気2個のエネルギーはヒッグス粒子のエネルギーであり、陽子の中の電磁気2個のエネルギーです。  
2．ヒッグス粒子のエネルギーはクオークの中の電磁気2個のエネルギーであり、地表の電磁気2個のエネルギーではない。
3．陽子の中の電磁気はγ線であり、地表の電磁気のエネルギーは可視光線である。
4．陽子の中のヒッグス粒子のエネルギーは大きい。地表の電磁気2個のエネルギーは小さい。
5．地表の電磁気1個の粒子は電磁気2個分であるが、これはヒッグス粒子ではない。
よって、光子はヒッグス粒子と衝突しないので、自然界の最高速度(光速)で進むことができる(質量ゼロ)。これはおかしい。
ヒッグス粒子はクオークから分離した電磁気2個のエネルギーです。
地表の電磁気1個の粒子は電磁気2個分であるが、これはヒッグス粒子ではない。
【産業上の利用可能性】
【０００９】
素粒子と宇宙は何によってできているかを学ぶことは産業の発展に役立つ。
【符号の説明】
【００１０】
１    原子の中の陽子のラブ
２    原子の中の電子のラブ
３    原子の中の陽子のラブが作る、＋方向に回転する磁気の光子
４    原子の中の電子のラブが作る、−方向に回転する磁気の光子
５    原子核の中の陽子のラブ    
６    原子核の中の中性子のラブ
７    原子核の中の陽子のラブが作る、＋方向に回転する磁気の光子
８    原子核の中の中性子のラブが作る、−方向に回転する磁気の光子
９    中性子の中の陽子のラブ
１０    中性子の中の電子のラブ
１１    中性子の中の陽子のラブが作る、＋方向に回転する磁気の光子
１２    中性子の中の電子のラブが作る、−方向に回転する磁気の光子
１３    2.139×10-28Jの軌道は、1.233×10-41Jm÷(2.139×10-28J)＝5.765×10-14m
１４    1.34×10-27Jの軌道は、1.233×10-41Jm÷（1.34×10-27J）＝9.2015×10-15m
１５    1.34×10-26Jの軌道は、1.233×10-41Jm÷（1.34×10-26J）＝9.2015×10-16m
１６    1.34×10-25Jの軌道は、1.233×10-41Jm÷（1.34×10-25J）＝9.2015×10-17m
１７    1.34×10-24Jの軌道は、1.233×10-41Jm÷（1.34×10-24J）＝9.2015×10-18m
１８    1.34×10-23Jの軌道は、1.233×10-41Jm÷（1.34×10-23J）＝9.2015×10-19m
１９    1.34×10-22Jの軌道は、1.233×10-41Jm÷（1.34×10-22J）＝9.2015×10-20m
２０    1.34×10-21Jの軌道は、1.233×10-41Jm÷（1.34×10-21J）＝9.2015×10-21m
２１    1.34×10-20Jの軌道は、1.233×10-41Jm÷（1.34×10-20J）＝9.2015×10-22m
２２    1.34×10-19Jの軌道は、1.233×10-41Jm÷（1.34×10-19J）＝9.2015×10-23m
２３    1.34×10-18Jの軌道は、1.233×10-41Jm÷（1.34×10-18J）＝9.2015×10-24m
２４    1.34×10-17Jの軌道は、1.233×10-41Jm÷（1.34×10-17J）＝9.2015×10-25m
２５    1.34×10-16Jの軌道は、1.233×10-41Jm÷（1.34×10-16J）＝9.2015×10-26m
２６    1.34×10-15Jの軌道は、1.233×10-41Jm÷（1.34×10-15J）＝9.2015×10-27m
２７    1.34×10-14Jの軌道は、1.233×10-41Jm÷（1.34×10-14J）＝9.2015×10-28m
２８    1.34×10-13Jの軌道は、1.233×10-41Jm÷（1.34×10-13J）＝9.2015×10-29m
２９    1.7MeVのuクオークは2.723×10-13Jで、4.528×10-29mの軌道に1個存在する。
３０    3.1MeVのuクオークは4.966×10-13Jで、2.483×10-29mの軌道に1個存在する。
３１    4.1MeVのdクオークは6.568×10-13Jで、1.877×10-29mの軌道に1個存在する。
３２    1.34×10-12Jの軌道は、1.233×10-41Jm÷（1.34×10-12J）＝9.2015×10-30m
３３    1.34×10-11Jの軌道は、1.233×10-41Jm÷（1.34×10-11J）＝9.2015×10-31m
３４    1.34×10-10Jの軌道は、1.233×10-41Jm÷（1.34×10-10J）＝9.2015×10-32m
３５    核融合反応の場の電子    
３６    電子のラブ    
３７    電子ニュートリノよりエネルギーの大きい電磁気    
３８    電子ニュートリノになるエネルギーが小さく軌道の大きい電磁気
３９    核融合の場の陽子    
４０    核融合の場の陽子に、電子のラブと電子ニュートリノよりエネルギーの大きい電磁気が入る    
４１    核融合の場で、陽子は中性子に成る      
４２    核融合の場で、放出した電子ニュートリノのエネルギーは2eV×A
４３    地表では、電子ニュートリノのエネルギーは2eV    
４４    地表の中性子    
４５    中性子の中に入った電子のエネルギーは、電子のラブ＋電子ニュートリノよりエネルギーの大きい電磁気      
４６    中性子が陽子に成る    
４７    中性子の中に入った電子のエネルギーは放出する    
４８    ウイ―クボソン    
４９    ウイ―クボソンは電子のラブ＋電子ニュートリノよりエネルギーの大きい電磁気
【図１】
2020025405.tif 000009
【図２】
2020025405.tif 000010
【図３】
2020025405.tif 000011
【図４】
2020025405.tif 000012